(57)【特許請求の範囲】
【請求項１】
底部と、ディスク型情報担体を保持するために該底部の中に設けられた保持装置と、２つのコーナーヒンジによって該底部に接続された蓋部とを有するディスク型情報担体を格納するための筐体であって、
上記蓋部は夫々が該蓋部の横側面に対して凹んだ２つの凹みヒンジアームを有し、上記底部は上記凹みヒンジアームと一致し上記凹みヒンジアームが延在すべき２つのコーナー凹部を有し、該コーナー凹部は上記底部の横側面に対して夫々が凹んでいる凹みヒンジ壁によって境界を形成され、凹みヒンジアームは該コーナーヒンジを形成するために凹みヒンジ壁に回転可能に結合され、
上記蓋部には、夫々がヒンジアームに対向し、実質的に上記蓋部の横側面に延在する２つの保護壁が設けられることを特徴とする筐体。
【請求項２】
各コーナーヒンジについて、ヒンジアーム又はヒンジ壁の一方にはスタッドが設けられており、該スタッドは、スタッドを設けられていない方の対応するヒンジ壁又はヒンジアームの開口の中へ突出することを特徴とする、請求項１記載の筐体。
【請求項３】
上記ヒンジアームは互いに近づく方向及び／又は遠ざかる方向に弾性的であり、一方上記ヒンジ壁は剛性であることを特徴とする、請求項１記載の筐体。
【請求項４】
上記保護壁は弾性的な構造であることを特徴とする、請求項１記載の筐体。
【請求項５】
上記保護壁は底部のコーナー凹部の中へ延在することを特徴とする、請求項１記載の筐体。
【請求項６】
上記保護壁は夫々自由端部を設けられ、該自由端部は互いに向かって湾曲し、各自由端部はヒンジアームのうちの１つの自由端に対向して且つ幾らかの距離だけ離れて延在することを特徴とする、請求項１記載の筐体。
【請求項７】
夫々の保護壁は、端部の中へ併合され、少なくとも上記蓋部が閉じた位置にあるときに底部の横側面のうちの１つと底部の後側面との間に丸み付けられた遷移を形成することを特徴とする、請求項６記載の筐体。
【請求項８】
上記底部及び上記蓋部には夫々の前面に丸み付けられたコーナーが設けられることを特徴とする、請求項７記載の筐体。
【請求項９】
上記蓋部は射出成形物であることを特徴とする、請求項１記載の筐体。
【発明の詳細な説明】
本発明は、底部と、ディスク型情報担体を保持するために上記底部の中に設けられた保持装置と、２つのコーナーヒンジによって上記底部に接続された蓋部とを有するディスク型情報担体を格納するための筐体に関する。
かかる筐体は、ＤＥ−Ｕ８５２３１９４号より既知である。既知の筐体は、光学的に走査可能なディスクの格納のために設計され、高い垂直側壁を有する箱形底部と側壁を設けられた蓋部とを有する。蓋部の側壁は、底部の垂直側壁よりも小さな相互の間隔を有する。蓋部はヒンジ式に可動であるよう底部に接続され、蓋部の側壁はヒンジ領域において底部の垂直側壁の間に延在する。ヒンジ装置は、一方の側壁に与えられ、他方の側壁の開口を通って突出する２つのスタッドによって形成される。既知の筐体の不利な点はヒンジ装置が外部の機械的な影響により比較的損傷を受け易いことである。
本発明は、既知の装置よりも損傷を受けやすくないヒンジ装置を有する冒頭の段落に記載される種類の筐体を提供することを目的とする。
本発明による筐体はこのため、上記蓋部は夫々が上記蓋部の横側面に対して凹んだ２つの凹みヒンジアームを有し、上記底部は上記凹みヒンジアームと一致し上記凹みヒンジアームが延在すべき２つのコーナー凹部を有し、上記コーナー凹部は上記底部の横側面に対して夫々が凹んでいる凹みヒンジ壁によって境界を形成され、凹みヒンジアームは上記コーナーヒンジを形成するために凹みヒンジ壁に回転可能に結合され、上記蓋部には、夫々がヒンジアームに対向し、実質的に上記蓋部の横側面に延在する２つの保護壁が設けられることを特徴とする。ヒンジアーム及びヒンジ壁部の特殊な配置により、形成されるコーナーヒンジは底部及び蓋部の横側面よって形成される筐体の横外形に対して凹んでいるように存在する。コーナーヒンジは更にヒンジ壁部に沿って延在する保護壁によって保護されている。この結果、筐体、更に特定的にはそのようにして得られたそのヒンジ装置は、例えば落下又は衝撃によって生ずる機械的な外部からの影響に対して既知の筐体よりもより耐性がある。本発明による筐体は、例えば音声、映像、又はデータ情報を与えられている光ディスク又は光磁気ディスクといったディスク型情報担体を格納するのに適している。
本発明による筐体の実施例は、請求項２に定義される特徴を有する。ヒンジアーム及びヒンジ壁部はこのようにそれ自体として既知の簡単に且つ信頼性があるようにヒンジ式に可動に相互に結合される。蓋部の底部への取付けを容易にするために、ヒンジアームは互いにに近づく方向及び／又は遠ざかる方向に弾性的であり、一方ヒンジ壁部は剛性であることが望ましい。スタッド又は丸針は望ましくはヒンジアーム上にあり、筐体の組立工程中は、この場合はヒンジ壁の中にある開口の中へ容易に挿入されうる。組立後、弾性的なヒンジアームはスタッドが開口の中に鎖錠されたままにされることを確実にする。底部は通常箱形であり、垂直な側壁を設けられている。凹みヒンジ壁は、かかる底部の中で上記側壁に対して内側に移動された壁部によって形成されることが望ましい。
本発明による筐体の実施例は、保護壁が弾性的な構造であることを特徴とする。それによりいくらか屈曲性があり、従ってコーナーヒンジの特に効果的な保護が達成される。保護壁は、望ましくは互いに近づく方向及び遠ざかる方向に弾性的である。
保護壁が筐体の外側外形の中に完全に延在する実施例は、保護壁が底部のコーナー凹部の中に延在することを特徴とする。保護壁は、底部が箱形である場合は、底部の側壁の方向に延在することが望ましい。
本発明による筐体の実施例は、請求項６に定義される特徴を有する。これはコーナーヒンジに対する最大の保護を与える。
本発明による筐体の実施例は請求項７記載の特徴を有する。このようにして得られた丸み付けられた遷移は、コーナーヒンジに隣接する筐体のコーナー部分に丸み付けられた角度を与えるための理想的な可能性を形成する。丸み付けられた角度は、鋭いコーナー部分がないことにより、筐体をよりカストマーフレンドリーなものとし、損傷に対して直線的な角度よりも耐性のあるものとする。従って、筐体の全てのコーナーは丸み付けられた角度のコーナーであることが望ましい。
本発明による筐体の実施例は、蓋部が１つの生成物、特に射出成形物として構成されることを特徴とする。底部はまた１つの射出成形物であることが望ましい。これは、ヒンジ装置を含む筐体の簡単な製造を可能とする。筐体は、筐体の中に外部から読むことが可能な情報を収容する可能性を最大化するよう、透明な材料によって形成されることが望ましい。
上述の様々な実施例において使用される手段の組合せを設けられた本発明による筐体の実施例もまた可能であることが理解されよう。
以下、本発明を図面を参照して例として詳述し、図中、
図１は本発明による筐体の第１の実施例を示す分解図であり、
図２は第１の実施例を閉じた状態で示す斜視図であり、
図３はコーナーヒンジを有する筐体の一部を拡大して示す図であり、
図４は底部及び蓋部を含む本発明による筐体の第２の実施例を開いた状態で示す平面図であり、
図５Ａは保持装置を有する第２の実施例の底部を示す平面図であり、
図５Ｂは上記底部を図５Ａの線Ｖ−Ｖに沿って示す断面図である。
図１及び図２に示される本発明による筐体は、光学情報担体２０の格納に適しており、本例では光学情報担体は音声情報を与えられたＤＶＤである。かかる情報担体は、１つ以上の光学的に書込み可能及び／又は読出し可能な情報層を有し、中央開口を設けられている。２つの部分で構成される筐体は、コーナーヒンジ５Ａ及び５Ｂによってヒンジ式に可動であるよう相互接続された底部１及び蓋部３を含む。底部１は、締付力によって情報担体を保持するための中央締付装置７ａを有する保持装置７、本例でははめ込みトレイ、を含み、中央締付装置７ａは締め付けられた状態で情報担体の中央開口の中へ突出する。保持装置はまた他の実施例では底部の一体型部分を形成しうる。
底部１は、箱形であり、１つの側で開口し、底面壁２と、底面壁２に対して垂直な前面壁１ａ及び後面壁１ｂと、底面壁２に対して垂直な２つの側面壁１ｃとを設けられている。前面壁１ａ、後面壁１ｂ、及び側面壁１ｃは、全て同じ高さを有し、透明であり、それらの長さの少なくとも大部分に亘って略中断されない。本例では、底面壁２もまた透明である。後面壁１ｂは筐体の後端を形成し、後端の近傍にはヒンジ５Ａ及び５Ｂが存在する。蓋部３は略平坦な形状を有し、透明であり、本例では挿入された情報小冊子又はリーフレット９を保持するため底部１に対向する側にタグ３ａが設けられている。本例では、筐体は周知のＣＤデュアルボックスの外のり寸法、即ち、深さｄが１４２ｍｍ、幅ｗが１２４ｍｍ、高さｈが１０ｍｍに対応する寸法を有するが、ここでは筐体には丸み付けられたコーナー４を有する。
本発明による筐体の中には、底部１の中、特に底面壁２の上に延在する挿入物１１がある。本例では挿入物１１は４つの直立部分、即ち前面壁１ａに対向して延在する部分１１ａ、後面壁１ｂに対向して延在する部分１１ｂ、及び側面壁１ｃに対向して延在する２つの部分１１ｃを含む。直立部分１１ａ，１１ｂ及び１１ｃの透明な壁１ａ，１ｂ及び１ｃに対向する側には、筐体の中にある情報担体２０に関する印刷情報が与えられている。直立部分１１ａ，１１ｂ及び１１ｃは望ましくは挿入物の本体部１２と一体に形成され、折線に沿って本体部１２に対して折り曲げられることが望ましい。挿入物１１は、紙、合成樹脂、又は他の適当な材料によって形成されうる。
図面から明らかであるように、挿入物１１は完全に底部１の内側にあり、本例では本体部１２は底面壁２と保持装置７との間に延在する。
以下、図１，２及び３を参照して、基本的に同一であるコーナーヒンジ５Ａ及び５Ｂの構成を詳述する。コーナーヒンジ５Ａ及び５Ｂは夫々、蓋部３の部分を形成し、蓋部３の夫々の横側面３２に対して凹んでいる凹みヒンジアーム３０を含む。ヒンジアーム３０は互いに近づく方向及び遠ざかる方向に幾らか弾性があり、夫々にスタッド３４が設けられ、これらの２つのスタッド３４はヒンジアーム３０の互いに対向する側に存在する。ヒンジ５Ａ及び５Ｂは夫々、更に底部１の部分を形成する凹みヒンジ壁３６を含む。側壁１ｃによって形成される底部１の横側面の後ろへ凹んで存在するヒンジ壁３６には、スタッド３４が夫々挿入されるべき開口３８を設けられている。底部はヒンジ壁３６の配置を可能にするためのコーナー凹部４０を設けられている。コーナーヒンジ５Ａ及び５Ｂは本質的に上記コーナー凹部４０の中に存在する。蓋部３には、コーナーヒンジ５Ａ及び５Ｂを保護するため、蓋部３の側面３２にコーナーヒンジ５Ａ及び５Ｂに隣接して保護壁４２が設けられている。保護壁４２は、ヒンジアーム３０から幾らかの距離だけ離れて、また大部分はヒンジアーム３０と平行又は略平行に延在し、横方向に幾らか弾性的に形成されうる。本例では、保護壁４２は、互いに向かって湾曲され、ヒンジアーム３０の自由端４６から幾らかの距離だけ離れて延在する自由端部４４を設けられている。自由端部４４は保護壁４２の緩い湾曲部４８を通じて壁４２の残る部分に接続される。湾曲部４８は少なくとも略９０°に亘って延在し、底部の後面壁１ｂによって形成される後側面への丸み付けられた遷移を形成し、それにより筐体の２つの丸み付けられたコーナー４を形成する。保護壁４２は、底部１の側面壁１ｃに対して平らであるようコーナー凹部４０の中に配置される。底部１の全体及び蓋部３の全体は、一体化された射出成形物を形成する。
図４，５Ａ及び５Ｂに示される本発明による筐体は、例えば映像情報を与えられたＤＶＤを格納するために設計されている。本例の筐体の寸法は、深さｄが１４２ｍｍ、幅ｗが１９０ｍｍ、及び高さｈが１０ｍｍである。筐体は、底部１０１と蓋部１０３とを設けられている。底部の中には、締付力によって情報担体１２０を保持するための締付部材１０７ｂを設けられた幾らか平坦な形状の要素１０７ａを含む保持装置１０７がある。蓋部１０３は、２つのコーナーヒンジ１０５Ａ及び１０５Ｂによって底部１０１に接続され、夫々が蓋部１０３の横側面１３２に対して凹んで存在する２つの凹みヒンジアーム１３０を設けられている。底部１０１には、ヒンジアーム１３０に適合され、夫々の底部１０１の横側面１０１ｃに対して凹んで存在する凹みヒンジ壁１３６によって境界が形成される２つのコーナー凹部１４０を設けられている。ヒンジアーム１３０は、ヒンジアーム１３０とヒンジ壁１３６とが上記コーナーヒンジ１０５Ａ及び１０５Ｂを構成するようコーナー凹部１４０の中に延在する。ヒンジアーム１３０は、ヒンジ壁１３６の開口１３８の中へ突出するスタッド１３４を設けられている。蓋部１０３は、更に２つの保護壁１４２を設けられ、各保護壁１４２は、夫々のヒンジ壁１３０に対向して存在する。
保護壁１４２は夫々自由端部１４４を設けられ、上記自由端部１４４は互いに向かって湾曲され、夫々ヒンジアーム１３０のうちの１つに対向して幾らかの距離だけ離れて延在する。保護壁１４２は夫々、更に筐体が閉じられたときに底部１０１の横側面１０１ｃと後側面１０１ｂとの間に丸み付けられた遷移が形成され、それにより筐体がコーナー凹部１４０の領域において丸み付けられたコーナーを有するよう、端部１４４の中へ併合される緩い湾曲部１４８を設けられている。筐体の前方においても尖ったコーナーを防止するため、底部１０１及び蓋部１０３はそれらの前面側と側面側との間の遷移において丸み付けられて。補強のため、ヒンジアーム１３０と保護壁１４２との間に頑丈なリッジ１５０が設けられている。底部１０３の中に存在する要素１０７ａは、例えば２つのスナップ閉じ要素１５１によって底部１０３に着脱可能に固定される。要素１０７ａは、底部１０３の透明な壁１５５から幾らかの距離だけ離れて延在する直立壁１５３を設けられている。情報リーフレット１１１は底部１０３と要素１０７ａとの間に延在し、リーフレット１１１の直立部分１１１ａは上記壁１５３と上記透明な壁１５５との間で保護されている。要素１０７ａは、多数の、本例では４つの、開口又は凹部１５７を設けられ、それにより情報ディスク１２０は筐体から容易に取り出されうる。
本発明は図示される実施例に限られるものではなく、従って例えば、本発明に関連する保持装置及び／又は幾つかの他の要素は異なって構成されうることが理解されよう。
また筐体は異なる種類のディスク型情報担体に特に適合されることが可能である。
【図１】
0003852620.tif 000002
【図２】
0003852620.tif 000003
【図３】
0003852620.tif 000004
【図４】
0003852620.tif 000005
【図５Ａ】
0003852620.tif 000006
【図５Ｂ】
0003852620.tif 000007